(57)【要約】本発明は、弾性懸垂素子（２１）を有するマスクボックス（２２）をカラー表示管（１）のガラスパネル（２）からの公称位置で懸垂する懸垂ピン（２４）を前記パネル（２）に設ける方法に関するものである。第１に、懸垂ピンベース（２６）をパネル（２）の内面上に位置決めし、次に、パネル内面を溶融させることによりこのパネル内面に取付ける。第２に、懸垂ピンヘッド（２５）を懸垂ピンベース（２６）上に位置決めし、次に、この懸垂ピンベース（２６）に取付ける。この工程で、懸垂ピンベース（２６）及び懸垂ピンヘッド（２５）の位置決めが、位置決め点を有するパネル位置決め装置（３５）に対し実行される。特に、懸垂ピンヘッド（２５）が、公称弾性懸垂素子（２１´）の公称収容部により描かれる公称収容路内にもたらされる。
2005513733.tif 000002
【特許請求の範囲】
【請求項１】
マスクボックスをカラー表示管のガラスパネルからの公称位置に懸垂する懸垂ピンをカラー表示管のガラスパネルに設ける方法であって、前記懸垂ピンが、
懸垂されるべきマスクボックスの弾性懸垂素子の収容部により少なくとも部分的に収容されるのに適した懸垂ピンヘッドと、
この懸垂ピンヘッドを支持する支持面を有するとともにこの懸垂ピンヘッドを前記ガラスパネルの内面に連結する懸垂ピンベースと
を有し、
この方法が、
位置決め点を有するパネル位置決め装置上に前記ガラスパネルを配置する工程と、
少なくとも３つの懸垂ピンベースを前記位置決め点に対して公称的に位置決めする工程と、
これら懸垂ピンベースをガラスパネルの内面に取付ける工程と、
前記懸垂ピンヘッドを前記懸垂ピンベースの支持面上に配置する工程と、
これら懸垂ピンヘッドをこれら懸垂ピンベースに取付ける工程と
を具えている当該方法において、
前記懸垂ピンヘッドを前記位置決め点に対し公称的に位置決めすることを特徴とする懸垂ピンをカラー表示管のガラスパネルに設ける方法。
【請求項２】
請求項１に記載の懸垂ピンをカラー表示管のガラスパネルに設ける方法において、公称弾性懸垂素子の公称収容部により描かれる公称収容路内に各懸垂ピンヘッドをもたらすことを特徴とする懸垂ピンをカラー表示管のガラスパネルに設ける方法。
【請求項３】
請求項２に記載の懸垂ピンをカラー表示管のガラスパネルに設ける方法において、各懸垂ピンヘッドを最初に、公称収容路の接線方向位置により決定される接線方向位置にもたらし、この各懸垂ピンヘッドを次に、公称収容路の軸線方向位置及び径方向位置と、支持面の径方向位置との可能な組合せにより決定される軸線方向位置にもたらすことを特徴とする懸垂ピンをカラー表示管のガラスパネルに設ける方法。
【請求項４】
請求項３に記載の懸垂ピンをカラー表示管のガラスパネルに設ける方法において、懸垂ピンベースをガラスパネルの内面に取付けた後に、懸垂ピンヘッドをもたらす必要のある、位置決め点に対する軸線方向位置を決定するために、これら位置決め点に対する支持面の径方向位置を測定することを特徴とする懸垂ピンをカラー表示管のガラスパネルに設ける方法。
【請求項５】
請求項２に記載の懸垂ピンをカラー表示管のガラスパネルに設ける方法において、各懸垂ピンヘッドを公称収容路内にもたらすために、疑似マスクボックスであって、この疑似マスクボックスの弾性懸垂素子が懸垂ピンヘッドを収容する孔を有している当該疑似マスクボックスを用い、
前記疑似マスクボックスを位置決め点に対する公称位置にもたらす工程と、
前記懸垂ピンヘッドを前記孔内に且つ前記支持面上に配置する工程と、
これら懸垂ピンヘッドを前記懸垂ピンベースに取付ける工程と
を有することを特徴とする懸垂ピンをカラー表示管のガラスパネルに設ける方法。
【請求項６】
請求項５に記載の懸垂ピンをカラー表示管のガラスパネルに設ける方法において、前記疑似マスクボックスを位置決め点に対する公称位置にもたらすために、少なくとも１つのディスタンスピースを用いることを特徴とする懸垂ピンをカラー表示管のガラスパネルに設ける方法。
【請求項７】
請求項１〜６のいずれか一項に記載の懸垂ピンをカラー表示管のガラスパネルに設ける方法において、前記懸垂ピンヘッドを前記懸垂ピンベースに取付けた後に、位置決め点に対する懸垂ピンヘッドの位置を測定することを特徴とする懸垂ピンをカラー表示管のガラスパネルに設ける方法。
【請求項８】
位置決め点を有するパネル位置決め装置上に配置されたガラスパネルの内面に取付けられた懸垂ピンベース上に懸垂ピンヘッドを位置決めする位置決め方法であって、懸垂ピンヘッドを懸垂ピンヘッドの支持面上に配置する工程を有する当該位置決め方法において、前記懸垂ピンヘッドを前記位置決め点に対して公称的に位置決めすることを特徴とする位置決め方法。
【請求項９】
表示窓を有するガラスパネルからの公称位置に懸垂すべき少なくとも２つの実質的に同一なマスクボックスの群であって、各マスクボックスが、
ガラスパネルの内面上に配置された懸垂ピンの懸垂ピンヘッドを少なくとも部分的に収容する収容部及び基部を有する少なくとも３つの弾性懸垂素子と、複数のフレーム部とを具えるフレームであって、前記収容部は前記基部に対し摺動しうるようになっており、各フレーム部は２つの弾性懸垂素子を相互連結している当該フレームと、
マスクブランクと
を具えている当該マスクボックスの群を製造する製造方法において、
各マスクボックスを製造する方法が、
位置決め点であって、これらの少なくとも３つの位置決め点が弾性懸垂素子の収容部と共働する疑似の懸垂ピンヘッドを有している当該位置決め点を具えているマスクボックス位置決め装置に対し、前記フレームを位置決めする工程と、
前記収容部を前記弾性懸垂素子の基部に対し固定する工程と、
前記マスクブランクを前記位置決め点に対する公称位置にもたらす工程と、
前記マスクブランクを前記フレームに取付ける工程と
を有し、マスクボックスの群を製造するために、１つの同一のマスクボックス位置決め装置を用いる製造方法。
【請求項１０】
請求項９に記載の製造方法において、前記フレームを前記位置決め点に対し位置決めするために、少なくとも１つのディスタンスピースを用いることを特徴とする製造方法。
【請求項１１】
請求項９又は１０に記載の製造方法において、前記マスクブランクを前記位置決め点に対する公称位置にもたらすために、少なくとも１つのディスタンスピースを用いることを特徴とする製造方法。
【請求項１２】
少なくとも２つのパネル‐マスクボックス組合せ体の群を製造する製造方法であって、
請求項１〜７のいずれか一項に記載の方法を用いて、少なくとも２つのガラスパネルの群に懸垂ピンを設ける工程と、
請求項９〜１１のいずれか一項に記載の方法を用いて、少なくとも２つのマスクボックスの群を製造する工程と、
ガラスパネルの群のいずれかのガラスパネルからマスクボックスの群のいずれかのマスクボックスを懸垂させることにより、パネル‐マスクボックス組合せ体を形成する工程と
を具えている製造方法。
【請求項１３】
少なくとも３つの弾性懸垂素子を有する疑似のマスクボックスにおいて、各弾性懸垂素子が、公称収容部を表わす孔を有していることを特徴とする疑似のマスクボックス。
【発明の詳細な説明】
【技術分野】
【０００１】
本発明は、マスクボックスをカラー表示管のガラスパネルからの公称位置に懸垂する懸垂ピンをカラー表示管のガラスパネルに設ける方法であって、前記懸垂ピンが、
懸垂されるべきマスクボックスの弾性懸垂素子の収容部により少なくとも部分的に収容されるのに適した懸垂ピンヘッドと、
この懸垂ピンヘッドを支持する支持面を有するとともにこの懸垂ピンヘッドを前記ガラスパネルの内面に連結する懸垂ピンベースと
を有し、
この方法が、
位置決め点を有するパネル位置決め装置上に前記ガラスパネルを配置する工程と、
少なくとも３つの懸垂ピンベースを前記位置決め点に対して公称的に位置決めする工程と、
これら懸垂ピンベースをガラスパネルの内面に取付ける工程と、
前記懸垂ピンヘッドを前記懸垂ピンベースの支持面上に配置する工程と、
これら懸垂ピンヘッドをこれら懸垂ピンベースに取付ける工程と
を具えている当該方法に関するものである。
【０００２】
上記及び下記において、公称とは、正確な予め決定した値又は値の組の予め決定した範囲内にあることとして規定する。
【０００３】
懸垂ピンをガラスパネルに設ける方法は実際に周知であり、カラー表示管の製造方法の一部である。
【０００４】
カラー表示管はパネル‐マスクボックス組合せ体を有し、マスクボックスがパネルから懸垂されるということは周知である。パネルはガラスから成り、直立エッジが設けられたほぼ方形の表示窓を有している。マスクボックスは、多数の孔を有するほぼ方形のマスクを具えている。更に、マスクボックスは、マスクブランクの直立エッジに取付けられたフレームを有し、このフレームは、フレーム部分と、相互連結部分と、弾性懸垂素子とを有している。
【０００５】
マスクブランクは表示窓から適切な位置で懸垂することが極めて重要である。実際に、表示窓とマスクとの距離がカラー表示管の性能の決定要因となる。懸垂ピンの位置がマスクブランクの位置を直接決定する為、パネルには懸垂ピンを正確に設ける必要がある。従って、多数の位置決め点を有するパネル位置決め装置上にパネルを配置した状態で、懸垂ピンベースをパネルの内面に取付ける。懸垂ピンベースの位置は位置決め点に対して決定される。このようにして、パネルのレイアウトの相違が原因で生じるおそれのある懸垂ピンベースの位置のずれが回避される。
【０００６】
既知の方法によれば、マスクボックスの弾性懸垂素子と共働させるための懸垂ピンヘッドの位置が懸垂ピンベースの位置により決定される。その理由は、懸垂ピンヘッドが通常支持面の中央に配置される為である。それ故、懸垂ピンベースが位置決めされる精度が、懸垂ピンヘッドの位置決めの精度を、従って、懸垂ピン全体としての位置決めの精度を決定する。
【０００７】
既知の方法では、懸垂ピンの位置決め精度を実際に±０．６ｍｍとすることができる。懸垂ピンの位置の比較的大きなずれはある欠点の原因となるものであり、そのうちの幾つかを以下に説明する。
【０００８】
カラー表示管製造方法は、表示スクリーンをパネルの表示窓上に設ける写真処理を有するものであり、この場合マスクブランクが用いられる。この目的のために、マスクボックスの着脱を繰返す必要がある。この処理で、マスクブランクの挿入再現性、すなわち、位置の再現度が極めて重要であり、考慮されるずれの許容量は２μｍよりも少ない。従って、装着中には、弾性懸垂素子の再現性のある変形を除いて、マスクボックスの素子に変形が生じないようにすることが極めて望ましいことである。
【０００９】
既知の方法により懸垂ピンが設けられたパネルからマスクボックスを懸垂することに関しては、マスクボックスの弾性懸垂素子の変形により、懸垂ピンの位置の比較的大きなずれが充分に補償される。このように、実際には、マスクボックスをパネルから適切な位置に懸垂することができる。しかし、多くの場合、懸垂ピンの位置のずれにより、弾性懸垂素子を変形させるだけではなく、フレーム部分又は相互連結部分又はマスクブランクをも不所望に変形させる。これにより、マスクブランクの挿入再現性が悪影響を受け、写真処理の終了時には役に立たない表示スクリーンが得られるようになってしまう。従って、表示スクリーンをパネルから外す必要があり、写真処理をそっくり再開する必要がある。このことは、特にカラー表示管の製造費を高めてしまう重大な欠点となることが理解されるであろう。
【００１０】
既知の方法を用いて懸垂ピンをパネルに設けることにより生じる他の欠点は、マスクボックスを１つの特定のパネルのみと共働させうるにすぎないということである。最初は、弾性懸垂素子の収容部が弾性懸垂素子の基部に対して摺動しうる。特定のパネルからのマスクボックスの最初の懸垂に当り、収容部がこのパネルの懸垂ピンヘッドによりある位置に押しやられる。次に、これらの収容部が基部に対して固定される。その結果、マスクボックスはこの特定のパネル内に適合するが、もはや他のパネルから懸垂させることができない。その理由は、他のパネルにおける懸垂ピンヘッドの位置は、この特定のパネルにおける懸垂ピンヘッドの位置からあまりにも大きくずれている為である。収容部が基部に対して一旦固定されると、このマスクボックスは１つの特定のパネルに割当られたものとなる。従って、マスクボックスとパネルとの対は、写真処理中のみならず、その処理の前にも、すなわち、収容部を基部に対して固定した時から互いに保ち続ける必要がある。更に、製造処理中に何らかの理由でパネルが紛失されると、もはやマスクボックスも使用できなくなる。
【００１１】
収容部は、一般には、溶接により基部に対して固定される。溶接処理は、マスクボックスがパネルから懸垂されており、このパネルの懸垂ピンヘッドが収容部を保持している間に行なわれる。溶接処理中に、溶接スパッタがパネルの内面上に落下するおそれがあり、このことは不所望であること勿論である。
【００１２】
以下では、公称弾性懸垂素子を、位置決め点に対し公称的に位置決めされ且つ公称ばね特性に応じてばね動作する弾性懸垂素子として規定し、公称収容部を、公称弾性懸垂素子上に公称的に位置決めされた収容部として規定する。
【００１３】
本発明の目的は、ガラスパネルに懸垂ピンを設ける既知の方法の欠点の少なくとも１つを解消することにある。この目的は、懸垂ピンヘッドを懸垂ピンベースに取付ける前に、懸垂ピンヘッドを位置決め点に対する公称位置にもたらすことにより達成される。特に、各懸垂ピンヘッドを、公称的に収容部により描かれる公称収容路内にもたらす。
【００１４】
本発明によれば、懸垂ピンヘッドはパネル位置決め装置の位置決め点に対して位置決めされるのに対し、従来技術によれば、懸垂ピンヘッドは懸垂ピンベースに対して位置決めされる。
【００１５】
本発明の重要な利点は、懸垂ピンベースの位置に比較的大きなずれがあるにもかかわらず、懸垂ピンヘッドを公称位置にもたらすことができるということである。各懸垂ピンヘッドの位置は部分的に、割当られた懸垂ピンベースの支持面の位置により決定されるが、懸垂ピンヘッドを依然として公称位置にもたらすことができる。その理由は、公称収容路が、充分に大きな範囲の可能な位置をカバーし、懸垂ピンヘッドを常に支持面上で且つ公称収容路内で位置決めしうる為である。
【００１６】
懸垂ピンヘッドを公称収容路内に位置決めすることにより、マスクブランクの挿入再現性が著しく増大する。その結果、懸垂ピンヘッドの位置は、マスクボックスをパネルから懸垂する際に弾性懸垂素子の再現性のある変形のみが生じる程度に、マスクボックスのレイアウトに良好に適合されるようになる。
【００１７】
本発明による方法を適用すると、懸垂ピンヘッドは公称的に位置決めされ、懸垂ピンヘッドの位置決めに対して±２５ｍｍの精度を達成しうる。その結果、いかなる適合問題をも生じることなく、写真処理の前の製造処理でマスクボックスやパネルを交換することができる。又、弾性懸垂素子の収容部を基部に溶接することにより、パネル内に適切に適合しうる複数のマスクボックスを得るためのジグとして、１つのパネルを用いることもできる。この場合、ジグとして用いたこの１つのパネル以外の全てのパネルは溶接スパッタの影響を受けない。
【００１８】
本発明は、懸垂ピンヘッドを懸垂ピンベース上に位置決めする方法や、少なくとも２つの実質的に同一のマスクボックスの群を製造する方法や、少なくとも２つのパネル‐マスクボックスの組合せ体の群を製造する方法や、疑似のマスクボックスにも関するものである。
【００１９】
次に、本発明を図面につき詳細に説明する。各図間で同一又は同様な部分には同じ符号を付した。
図１は、パネル２と、コーン部３と、ネック部４とを有するガラスエンベロープを具えるカラー表示管１の長手方向断面図である。パネル２は、ほぼ方形の表示窓５と、直立エッジ６とを有している。パネル２の内面を符号７で示してある。ネック部４は、３つの電子ビーム９、１０及び１１を発生する３つの電子銃を有する電極システム８を収容している。電子ビーム９、１０及び１１は、表示窓５の内面上に設けられた表示スクリーン１２の方向に進む。表示スクリーン１２は、多数の赤、緑及び青発光蛍光体素子を有する。これら電子ビーム９、１０及び１１は表示スクリーン１２に向う途中で、カラー表示管１の長手軸線１４を中心として同心的に配置された偏向コイル１３により偏向される。電子ビーム９、１０及び１１は更に、孔１６を有するマスクブランク１５を通過する。これら電子ビーム９、１０及び１１は互いに僅かな角度を成して孔１６を通過し、従って、これら電子ビームの各々は１色の蛍光体素子に入射する。
【００２０】
図２及び３を参照するに、マスクブランク１５の直立エッジ１７は、フレーム部分１９と、相互連結部分２０と、弾性懸垂素子２１とを有するフレーム１８に固着されている。マスクブランク１５とフレーム１８との組合せをマスクボックス２２と称する。フレーム部分１９と相互連結部分２０とは種々の形状にすることができ、この場合重要なことは、充分に剛固なフレーム１８が得られるとともに、マスクブランク１５の直立エッジ１７をフレーム１８に容易に取付け得るということである。
【００２１】
図２は、４つの弾性懸垂素子２１が設けられたマスクボックス２２の一実施例を示している。図面を簡明にするために、多くの孔のうちの数個のみを図示してある。本例では、各弾性懸垂素子２１が、フレーム１８の隅部で相互連結部分２０上に配置されている。更に、各弾性懸垂素子２１は、関連の隅部の方向に偏向された電子ビームに対しほぼ垂直に延在する板ばねのような形状をしている。
【００２２】
図３は、３つの弾性懸垂素子２１が設けられたマスクボックス２２の他の実施例を示しており、この場合、各弾性懸垂素子２１はフレーム部分１９に沿った位置に配置されている。
【００２３】
マスクブランク１５とフレーム１８との熱膨張の相違を無くすために、これらの双方を同じ材料から造るのが好ましく、しかもほぼ同じ厚さにするのが好ましい。更に、マスクブランク１５とフレーム１８とは溶接により互いに取付けるのが好ましい。
【００２４】
図４は、カラー表示管１の一部であり、パネル２と、このパネル２から懸垂されているマスクボックス２２とを有するパネル‐マスクボックス組合せ体２３の隅部の分解斜視図である。
【００２５】
パネル２の直立エッジ６の隅部には懸垂ピン２４が配置されている。この懸垂ピン２４は、懸垂ピンヘッド（頭部）２５と、この懸垂ピンヘッドを支持する支持面２７を有する懸垂ピンベース（基部）２６とを具えている。懸垂ピン２４は金属から形成し、パネルの内面７を溶融させることによりこの内面に取付けるのが好ましい。懸垂ピンヘッド２５は図示のように球状とするが、この懸垂ピンヘッド２５は種々の形状にすることができる。支持面２７は平坦とするのが好ましい。懸垂ピンヘッド２５は支持面２７上に直接配置することができるが、例えば、懸垂ピンヘッド２５と支持面２７との間にワッシャを配置することもできる。
【００２６】
図示の例では、弾性懸垂素子２１は、ばね軸線２８を中心にばね運動する板ばねのような形状をしている。弾性懸垂素子２１は基部２９と懸垂部分３０とを有し、例えば溶接により、基部２９はフレーム１８の相互連結部分２０に取付けられ且つ懸垂部分３０は基部２９に取付けられている。懸垂部分３０は、懸垂ピンヘッド２５の大部分を収容するのに適した収容部３１を有している。従って、弾性懸垂素子２１の収容部３１が懸垂ピンヘッド２５の大部分を収容することにより、マスクボックス２２がパネル２から懸垂される。
【００２７】
懸垂ピンヘッド２５と収容部３１とは、この収容部３１が懸垂ピンヘッド２５を少なくとも部分的に収容しうる限り、種々の形状にすることができる。
【００２８】
図５は図４のＡ‐Ａ線上を断面とする断面図であり、組合せた状態のパネル‐マスクボックス組合せ体２３の一部を示している。この状態では、マスクボックス２２がパネル２から懸垂されており、懸垂ピンヘッド２５の大部分が弾性懸垂素子２１の収容部３１に収容されている。
【００２９】
図５に示すように、弾性懸垂素子２１はコーナーピース３２によりフレーム１８の相互連結部分２０に連結されており、例えば溶接により、コーナーピース３２の一辺３３が弾性懸垂素子２１の基部２９に取付けられ且つ他辺３４がフレーム１８の相互連結部分２０の前面に取付けられている。
【００３０】
次に、４つの懸垂ピン２４をパネル２の隅部に配置する例に基づいて、パネルに懸垂ピンを設ける新規な方法を説明する。しかし、この新規な方法は、例えば、パネルの内面７上に３つの懸垂ピン２４を配置したり、パネル２を、図３に示すように３つの弾性懸垂素子２１を有するマスクボックス２２と共働させるようにしたりするのにも用いることができる。
【００３１】
図６及び７を参照するに、パネル２を、それ自体既知の方法でパネル位置決め装置３５上に配置する。このパネル位置決め装置３５は、図６に線図的に示すように２つの固定位置決め点３６及び３７を有する。図示の例では、固定位置決め点３６及び３７は、パネル２の対向する隅部に近い位置でこのパネル２を支持している。パネル位置決め装置３５は更に、４対の可調整位置決め点を有している。これら可調整位置決め点は、各対で、中心点に対する相関移動を可能にしうる。パネル２を位置決めするに当り、一対の可調整位置決め点を、これらの双方が予め決定したようにパネル２の表面に接触するまで、例えば、これらがパネル２の直立エッジ６の対向面に当接するまで移動させる。これにより、パネル２はこの一対の可調整位置決め点の中心に対して予め決定した位置にあるようになる。
【００３２】
図６には、第１の対の可調整位置決め点３８及び３９を示してある。図示の例では、可調整位置決め点３８及び３９がパネル２の対向する隅部に近い位置でパネル２を支持し、これによりパネル２を中心点４０に対して位置決めしている。
【００３３】
第２の対の可調整位置決め点４１及び４２は図７に示してある。図示の例では、可調整位置決め点４１及び４２をパネル２の対向面に接触させることにより、これら可調整位置決め点がパネル２を中心点４３に対して位置決めすることができる。
【００３４】
図７には、第３の対の可調整位置決め点４４及び４５をも示してある。図示の例では、可調整位置決め点４４及び４５をパネル２の対向面に接触させることにより、これら可調整位置決め点がパネル２を中心点４６に対して位置決めすることができる。
【００３５】
図７には、第４の対の可調整位置決め点４７及び４８をも示してある。図示の例では、可調整位置決め点４７及び４８をパネル２の対向面に接触させることにより、これら可調整位置決め点がパネル２を中心点４９に対して位置決めすることができる。
【００３６】
固定位置決め点３６及び３７と、中心点４０、４３、４６及び４９とは、パネル２の自由度を全部で６つ固定する完全な６点システムを構成することが分るであろう。
【００３７】
更に、図６及び７に示すパネル位置決め装置３５は、位置決め点の個数及び位置に関して多くの可能な中の一例にすぎないことが理解されるであろう。
【００３８】
パネルがパネル位置決め装置３５上で一旦位置決めされたら、このパネル位置決め装置３５を、パネル２を処理するための、例えば、パネル２に懸垂ピン２４を設けるための基準システムとしても用いるのが好ましい。
【００３９】
パネル２に懸垂ピン２４を設ける第１の工程では、例えば、パネル２のガラスを溶融することによりこれに懸垂ピンベース２６を取付けることにより、これら懸垂ピンベース２６をパネルの内面７に取付ける。本例では、懸垂ピンベース２６をパネル２の全ての隅部に設ける。懸垂ピンベース２６の位置決めは、パネル２が載置されているパネル位置決め装置３５の位置決め点に対し行われる。前述したように、懸垂ピンベース２６をあらゆる方向で±０．６ｍｍの精度で位置決めすることができる。
【００４０】
懸垂ピンベース２６をパネルの内面７に取付けた後、懸垂ピンヘッド２５を懸垂ピンベース２６の支持面２７上に配置することができる。本発明によれば、次に、懸垂ピンヘッド２５を懸垂ピンベース２６に取付ける前に懸垂ピンヘッド２５をパネル位置決め装置３５の位置決め点に対し位置決めする。
【００４１】
パネル位置決め装置３５の位置決め点に対する各懸垂ピンヘッド２５の位置決めは、公称弾性懸垂素子２１´との推定共働に基づいて行なうものであり、この公称弾性懸垂素子は、位置決め点に関して公称的に位置決めされるとともに公称ばね特性に応じてばね動作する弾性懸垂素子２１として規定される。公称弾性懸垂素子２１´は公称収容部３１´を具えており、この公称収容部が公称弾性懸垂素子２１´上に公称的に位置決めされる、すなわち、公称弾性懸垂素子２１´の公称ばね軸線２８´に対する公称位置を有する。本発明によれば、懸垂ピンヘッド２５を、支持面２７上に位置させて、公称収容部３１´によって描かれる公称収容路内に入れる。
【００４２】
以下において、接線方向は、公称ばね軸線２８´が延在する方向と同様であり、軸線方向は、接線方向に対し垂直で支持面２７が延在する方向として規定し、径方向は、接線方向と軸線方向との双方に対し垂直な方向として規定する。図８、９及び１０においては、軸線方向を矢印ａで示し、接線方向を矢印ｔで示し、径方向を矢印ｒで示している。
【００４３】
図８には、パネル２の一部の横断面図を示している。懸垂ピンベース２６はパネル２の隅部においてこのパネル２に取付けられている。懸垂ピンヘッド２５は支持面２７上に配置されている。懸垂ピンヘッド２５の接線方向位置は、懸垂ピンヘッド２５が、図８に破線で示す公称収容路内に配置されるようにする。
【００４４】
図９には、パネル２の一部の縦断面図を示している。懸垂ピンベース２６は表示窓５からある距離の位置でパネル２に取付けられている。懸垂ピンヘッド２５は支持面２７上に配置されている。懸垂ピンヘッド２５の軸線方向位置は、懸垂ピンヘッド２５が、図９に破線で示す公称収容路内に配置されるようにする。図９に明瞭に示すように、懸垂ピンヘッド２５を公称収容路内に位置決めすることにより、懸垂ピンヘッド２５を支持面２７の中心を外して位置決めすることができる。実際には、異なる懸垂ピンヘッド２５の軸線方向位置を互いに異ならせることができる。その理由は、各懸垂ピンヘッド２５の軸線方向位置は支持面２７の径方向位置により影響を受る為である。
【００４５】
懸垂ピンヘッド２５の軸線方向位置と支持面２７の径方向位置との相関関係は図１０を参照することにより理解しうる。図１０では、可能な第１の支持面を符号２７´で示し、パネルの内面７に一層近い可能な第２の支持面を符号２７″で示してある。公称収容路は図９と同様に破線で示してある。支持面２７´及び２７″の径方向位置は互いに異なっているにもかかわらず、懸垂ピンヘッド２５を双方の支持面２７´及び２７″上の位置で且つ公称収容路内で位置決めすることができる。その結果、支持面２７´上に位置決めされた懸垂ピンヘッド２５´の軸線方向位置は支持面２７″上に位置決めされた懸垂ピンヘッド２５″の軸線方向位置と相違する。本例では、懸垂ピンヘッド２５″は懸垂ピンヘッド２５´よりも表示窓５に近づいて位置する。
【００４６】
本発明による上述した方法を適用すると、懸垂ピンヘッド２５が公称的に位置決めされ、少なくとも±２５μｍの精度をあらゆる方向で懸垂ピンヘッド２５の位置決めに対し達成しうる。接線方向では、±１０μｍの精度を達成することもできる。
【００４７】
本発明によりパネル２に懸垂ピン２４を設ける方法を実施する第１の好適例では、懸垂ピンベース２６をパネル２に取付けた後に、位置決め点に対する支持面２７の径方向位置を測定することにより、位置決め点に対する懸垂ピンヘッド２５の軸線方向位置を決定する。公称収容部３１´に対し、径方向位置と軸線方向位置との可能な組合せが分っている為、懸垂ピンヘッド２５の軸線方向位置を測定結果に基づいて決定しうる。
【００４８】
図１１を参照するに、本発明によりパネル２の懸垂ピン２４を設ける方法を実施する第２の好適例では、パネル２から懸垂すべきマスクボックス２２とほぼ同じ設計とした疑似のマスクボックス５０を用いる。この場合、疑似のマスクボックス５０の弾性懸垂素子２１を公称弾性懸垂素子２１´とみなすことができる。各弾性懸垂素子２１´は公称収容部３１´を表わす孔５１を有する。疑似のマスクボックス５０をパネル２に対し公称的に位置決めし、パネルの内面７上の懸垂ピンベース２６に取付けるべき懸垂ピンヘッド２５を孔５１内に且つ支持面２７上に配置する。この工程で、懸垂ピンヘッド２５が公称位置で支持面２７上に配置される。その理由は、これらの懸垂ピンヘッドは実際に公称収容路内に位置決めされる為である。疑似のマスクボックス５０の公称的な位置決めは、当該技術分野で既知のいかなる適切な方法でも行なうことができ、例えば、パネルの内面７と疑似のマスクボックス５０との間に配置される少なくとも１つのディスタンスピースを用いることにより行なうことができる。懸垂ピンヘッド２５を支持面２７上に配置したのに続いて、疑似のマスクボックス５０を除去し、懸垂ピンヘッド２５を、例えば溶接により懸垂ピンベース２６に取付ける。
【００４９】
好ましくは、懸垂ピンヘッド２５を懸垂ピンベース２６に取付けた後に、位置決め点に対する懸垂ピンヘッド２５の得られた位置を測定し、懸垂ピンヘッド２５の所定の位置決め精度が達成されたかどうかを検査するようにする。
【００５０】
懸垂ピンヘッド２５が極めて正確に位置決めされる結果として、マスクボックス２２の群を製造するのに１つの同じパネル２を用いることができる。好ましくは、パネル２を代表するマスクボックス位置決め装置を用いる。このマスクボックス位置決め装置は、代表するパネル２の懸垂ピンヘッド２５に対応する疑似の懸垂ピンヘッドを有する。
【００５１】
マスクボックス位置決め装置を用いることにより、マスクボックス２２をそれ自体既知の方法で製造する。製造処理の開始時に、フレーム１８をマスクボックス位置決め装置上に配置し、フレーム部分１９を疑似の懸垂ピンヘッドに対して位置決めする。この段階では、弾性懸垂素子２１の懸垂部分３０が基部２９に対し摺動でき、従って、収容部３１の位置を疑似の懸垂ピンヘッドの位置に完全に合わせることができる。収容部３１を適切に位置決めした後に、懸垂部分３０を好ましくは溶接により基部２９に対し固定する。これにより、フレーム１８はマスクボックス位置決め装置で代表されるいかなるパネル２にも用いるのに適したものとなる。収容部３１の位置は疑似の懸垂ピンヘッドの位置に完全に適合したものとなる為、フレーム１８には歪が生ぜず、このことは、フレーム１８を用いる必要のあるマスクボックス２２の挿入再現性に関して極めて有利なことである。
【００５２】
更に、マスクブランク１５を疑似の懸垂ピンヘッドに対して公称的に位置決めする。公称位置は、表示窓５の公称輪郭と、マスクブランク１５自体の公称輪郭と、表示窓及びマスクブランク間の公称間隔とから得る。次に、マスクブランク１５を、好ましくは溶接を用いてフレーム１８に取付ける。この段階で、マスクボックス２２は、マスクボックス位置決め装置により代表されるいかなるパネル２にも用いるのにそのまま適したものとなっている。従って、マスクボックス位置決め装置を用いて製造するいかなるマスクボックス２２と、同じマスクボックス位置決め装置により代表されるいかなるパネル２とを組合せることにより、パネル‐マスクボックス組合せ体２３の群を製造することができる。写真処理は極めて正確に実行する必要があるという事実のために、この写真処理を開始した後にのみ、特定のパネル２と特定のマスクボックス２２とを一緒に保持する必要がある。
【００５３】
マスクボックス位置決め装置の疑似の懸垂ピンヘッドに対するフレーム部分１９及びマスクブランク１５の位置決めは、当該技術分野で既知の適切ないかなる方法でも実行することができ、例えば、少なくとも１つのディスタンスピースを用いることにより実行しうる。マスクボックス位置決め装置は、疑似の懸垂ピンヘッドよりもわずかに多い位置決め点を有することもできる。
【００５４】
以上要するに、本発明は、弾性懸垂素子２１を有するマスクボックス２２をカラー表示管のガラスパネル２からの公称位置で懸垂する懸垂ピン２４を前記パネル２に設ける方法に関するものである。第１に、懸垂ピンベース２６をパネル２の内面７上に位置決めし、次に、パネルの内面７を溶融させることによりこのパネルの内面に取付ける。第２に、懸垂ピンヘッド２５を懸垂ピンベース２６上に位置決めし、次に、この懸垂ピンベース２６に取付ける。この工程で、懸垂ピンベース２６及び懸垂ピンヘッド２５の位置決めが、位置決め点３６，３７；３８，３９；４１，４２；４４，４５；４７，４８を有するパネル位置決め装置３５に対し実行される。特に、懸垂ピンヘッド２５が、公称弾性懸垂素子２１´の公称収容部３１´により描かれる公称収容路内にもたらされる。
【００５５】
当業者にとって明らかなように、本発明の範囲は上述した実施例に限定されるものではなく、本発明の範囲を逸脱することなく本発明を種々に変更しうるものである。
【図面の簡単な説明】
【００５６】
【図１】カラー表示管の部分的断面図である。
【図２】図１に示すカラー表示管の一部であるマスクボックスの後面図である。
【図３】他のマスクボックスの後面図である。
【図４】図１に示すカラー表示管の一部であるパネル‐マスクボックス組合せ体の隅部の分解斜視図である。
【図５】図４のＡ‐Ａ線上を断面とした断面図である。
【図６】パネル位置決め装置上に配置したパネルの線図である。
【図７】図６に示すパネル位置決め装置上に配置したパネルの他の線図である。
【図８】図６及び７に示すパネルの一部であって、懸垂ピンが設けられた部分を線図的に示す横断面図である。
【図９】図８に示すパネルの部分を線図的に示す縦断面図である。
【図１０】図９に示す縦断面図の説明図である。
【図１１】疑似のマスクボックスを示す後面図である。
【図１】
2005513733.tif 000003
【図２】
2005513733.tif 000004
【図３】
2005513733.tif 000005
【図４】
2005513733.tif 000006
【図５】
2005513733.tif 000007
【図６】
2005513733.tif 000008
【図７】
2005513733.tif 000009
【図８】
2005513733.tif 000010
【図９】
2005513733.tif 000011
【図１０】
2005513733.tif 000012
【図１１】
2005513733.tif 000013
【国際調査報告】
2005513733.tif 000014
2005513733.tif 000015
2005513733.tif 000016
2005513733.tif 000017
2005513733.tif 000018